(57)【要約】      （修正有）【課題】  使用者の手や指や頭部などがアンテナ部やアンテナ周辺部に接触した場合のアンテナ特性への悪影響をできるかぎり低減することが可能な折畳型携帯無線装置を提供する。【解決手段】  下筐体２および上筐体３と、この下筐体２および上筐体３とを回動可能に連結するヒンジ部４とを備えるとともに、ヒンジ部付近の前記第２筐体にアンテナを備える折畳型携帯無線装置において、下筐体２内の回路基板２４と上筐体３内の回路基板３３とは、ヒンジ部４内部を挿通するケーブル４０を介して導通してあるとともに、上筐体３内の回路基板３３でのケーブル４０との接続位置は、下筐体２内の回路基板２４のアンテナ給電点２３１と対角の位置関係である。【選択図】  図３
2005124033.tif 000002
【特許請求の範囲】
【請求項１】
第１筐体および第２筐体と、この第１筐体および第２筐体を回動可能に連結するヒンジ部とを備えるとともに、前記ヒンジ部付近の前記第２筐体にアンテナを備える折畳型携帯無線装置において、
前記第１筐体内の回路基板と前記第２筐体内の回路基板とは、前記ヒンジ部内部を挿通する線材を介して導通してあるとともに、
前記第１筐体内の前記回路基板での前記線材との接続位置は、前記第２筐体内の前記回路基板のアンテナ給電点とは対角の位置関係である折畳型携帯無線装置。
【請求項２】
第１筐体および第２筐体と、この第１筐体および第２筐体を回動可能に連結するヒンジ部とを備えるとともに、前記ヒンジ部付近の前記第２筐体にアンテナを備える折畳型携帯無線装置において、
前記第１筐体内の回路基板と前記第２筐体内の回路基板の中央部とは、前記ヒンジ部内部の中央部を挿通する線材を介して導通してあるとともに、
前記第１筐体内の前記回路基板での前記線材との接続位置は、前記第２筐体内の前記回路基板のアンテナ給電点とは対角の位置関係である折畳型携帯無線装置。
【請求項３】
第１筐体および第２筐体と、この第１筐体および第２筐体を回動可能に連結するヒンジ部とを備えるとともに、前記ヒンジ部付近の前記第２筐体にアンテナを備える折畳型携帯無線装置において、
前記第２筐体内の回路基板で、前記ヒンジ部の軸線と直交する中心線を中心として前記アンテナ給電点とは左右対称となる前記回路基板上の線対称位置と、前記第１筐体内の回路基板において前記第２筐体内の前記回路基板のアンテナ給電点と対角の関係である位置とを、前記ヒンジ部内の中央部を挿通する線材を介して導通してある折畳型携帯無線装置。
【発明の詳細な説明】
【技術分野】
【０００１】
本発明は、アンテナを備えた折畳型携帯無線装置に関する。
【背景技術】
【０００２】
携帯無線機では、周知のように、アンテナから電磁波を放射することによって無線通信（送受信）を行っており、アンテナの輻射特性によってアンテナの利得が変化することが知られている。
また、この携帯無線機におけるアンテナの放射特性は、アンテナ形状、アンテナ長さ、インピーダンス等によるアンテナ自体の特性や、携帯無線機でのアンテナの設置位置等によって変化することも知られている。そのため、このようなアンテナ特性に基づき、アンテナの設置位置については、周囲に可能な限り無線通信の障害となる物体の少ない位置、例えば、携帯無線機の上端部に配置している場合が多い。また、この携帯無線機は、このような設置位置をとることによって、アンテナの放射特性ができるだけ良好となるように工夫されている。
【０００３】
従って、例えば棒状（ストレート状）を呈する筐体を有する携帯電話機の場合には、通常、筐体の上部にアンテナを設置することが多い。
【０００４】
また、このような携帯無線機の中には、上下２つの筐体と、これら上下の筐体を開閉自在に連結するヒンジ部とを備えた折畳型の携帯電話機（これを「折畳型携帯電話機」とよぶ）も開発されているが、この折畳型携帯電話機では、通常、上筐体の上部にアンテナを設置しているとともに、ヒンジ部を介して上筐体内の回路基板の中央部と下筐体内の回路基板の中央部とを導通接続するようになっている。
【０００５】
さらに、この折畳型携帯電話機には、ヒンジ部近傍の下筐体にアンテナを備えたものも開発されているが、このようなヒンジ部付近にアンテナを配置する折畳型携帯無線装置では、アンテナ特性がアンテナ近傍の筐体の影響を受けやすい。
【０００６】
このため、アンテナ近傍の筐体の影響を低減させるために、上筐体と下筐体の電気的接続線の中間に実抵抗やインダクタを挿入して、上筐体に流れる高周波電流を遮断する手法が提案されている（例えば、特許文献1参照）。また、上筐体内のシールドボックスをアンテナとして使用して、使用者の手などの体の一部が接触することによる利得変化を小さくする手法も提案されている（例えば、特許文献２参照）。
【特許文献１】特開平９−２７０７０２８号公報（例えば、段落［００１１］）
【特許文献２】特開２００２−３３５１８０号公報（例えば、段落［００２３］、図３）
【発明の開示】
【発明が解決しようとする課題】
【０００７】
しかしながら、特許文献1に記載のものでは、上筐体に流れる高周波電流を遮断することによって、アンテナと下筐体のみに高周波電流が集中し、例えば、使用する者の体の一部がアンテナおよび下筐体に接触した時の電流分布の乱れが大きくなり、利得劣化量が増大するおそれがある。
【０００８】
また、特許文献２に記載のものでは、上下の筐体を折畳んだ状態において、アンテナ特性が著しく劣化するおそれがあり、また、筐体を折畳んだ状態で動作するもう一つのアンテナを設けなければならず、構成が複雑化するといった問題をもたらしている。
【０００９】
このように、アンテナを備えた上下何れか一方の筐体内の回路基板の中央部と他方の筐体内の回路基板の中央部とを導通接続する構成や、上下の筐体内の回路基板の電気的接続を遮断する構成では、他方の筐体内の回路基板に電流が流れにくくなり、アンテナ部のみに電流が集中してしまう。
【００１０】
特に、この折畳型の携帯電話機のような携帯無線装置では、使用者がアンテナ部に触れることにより、アンテナ利得が低下するという問題点がある。これは、第１に、アンテナ部に手などが触れることにより、アンテナの整合ズレが発生し、無線部の入出力部でリターンロスが増加するため、無線信号特性が低下する原因となっている。また、第２に、アンテナ部の放射部分に手などを置くことで、電磁波の放射を遮断することにより、アンテナの放射特性を低下させることにもつながっている。特に、ヘリカルアンテナを筐体より突出して設けたアンテナ部を有する構成の携帯電話機などの場合、アンテナ部に指を接触させることによって１０ｄＢ程度の利得低下が発生するという問題を有していた。
【００１１】
本発明は、上記事情に鑑みてなされたもので、使用者の手や指や頭部などの一部がアンテナ部やアンテナ周辺部に接触した場合のアンテナ特性への悪影響をできるかぎり低減することが可能な携帯無線装置を提供することを目的とする。
【課題を解決するための手段】
【００１２】
本発明の折畳型携帯無線装置は、第１筐体および第２筐体と、この第１筐体および第２筐体を回動可能に連結するヒンジ部とを備えるとともに、前記ヒンジ部付近の前記第２筐体にアンテナを備える折畳型携帯無線装置において、
前記第１筐体内の回路基板と前記第２筐体内の回路基板とは、前記ヒンジ部内部を挿通する線材を介して導通してあるとともに、
前記第１筐体内の前記回路基板での前記線材との接続位置は、前記第２筐体内の前記回路基板のアンテナ給電点とは対角の位置関係である。
【００１３】
上記構成によれば、上記構成のアンテナ給電点と対角の位置関係で接続することにより、第１筐体における回路のグランドにも電流が流れ、携帯無線装置の筐体全体がアンテナとして機能する。この結果、第１筐体における回路のグランドおよびグランドに接続された金属筐体からの電磁波の放射量を増加させ、携帯無線装置全体のアンテナ利得を増加させることが可能となる。
また、放射エネルギーの広範囲への分散により、アンテナ部への集中が軽減され、使用者の手や指や頭部が、筐体及びアンテナ部に接触した場合のアンテナ特性への影響を低減することが可能となる。
【００１４】
また、本発明の折畳型携帯無線装置は、第１筐体および第２筐体と、この第１筐体および第２筐体を回動可能に連結するヒンジ部とを備えるとともに、前記ヒンジ部付近の前記第２筐体にアンテナを備える折畳型携帯無線装置において、
前記第１筐体内の回路基板と前記第２筐体内の回路基板の中央部とは、前記ヒンジ部内部の中央部を挿通する線材を介して導通してあるとともに、
前記第１筐体内の前記回路基板での前記線材との接続位置は、前記第２筐体内の前記回路基板のアンテナ給電点とは対角の位置関係である。
【００１５】
また、本発明の折畳型携帯無線装置は、第１筐体および第２筐体と、この第１筐体および第２筐体を回動可能に連結するヒンジ部とを備えるとともに、前記ヒンジ部付近の前記第２筐体にアンテナを備える折畳型携帯無線装置において、
前記第２筐体内の回路基板で、前記ヒンジ部の軸線と直交する中心線を中心として前記アンテナ給電点とは左右対称となる前記回路基板上の線対称位置と、前記第１筐体内の回路基板において前記第２筐体内の前記回路基板のアンテナ給電点と対角の関係である位置とを、前記ヒンジ部内の中央部を挿通する線材を介して導通してある。
【００１６】
これにより、例えばヒンジ部の一端側にアンテナを設置するとともにヒンジ部のアンテナ設置部分とは反対側の端部（図６では左端部）に第１、第２の筐体の開閉用のワンプッシュボタン等が配置されている場合でも、上記構成によれば、良好なアンテナ特性を発揮することができる。
【発明の効果】
【００１７】
本発明によれば、携帯無線装置の使用時において、筐体を折畳んだ状態で動作するもう一つのアンテナを設けることなく、使用者の手や指や頭部がアンテナ部やアンテナ周辺部に接触した場合のアンテナ特性への影響を低減することができる折畳型携帯無線装置を提供できる。
【発明を実施するための最良の形態】
【００１８】
以下、本発明の実施形態について、添付図面を参照しながら詳細に説明する。
（第1の実施形態）
図１は本発明の第１の実施形態に係る携帯無線装置の外観構成を示す斜視図である。本実施形態では、携帯無線装置の一例として、折畳型の携帯電話機による構成例を説明する。
【００１９】
図１に示すように、本実施形態の携帯電話機１は、後述するアンテナ部２３を備えた第２筐体である下筐体２と、第１筐体である上筐体３とを有しており、これら下筐体２及び上筐体３とがヒンジ部４によって、回動可能に連結されて構成されている。これにより、２つの筐体２、３がヒンジ部４を介して回動する、いわゆる開閉可能な折畳み型の筐体が構成される。
【００２０】
下筐体２には、数字キーや文字キー、機能キーなどの各種操作キーによる操作部２１と、通話音声を入力する送話用マイク部２２とが設けられている。また、下筐体２のヒンジ部３側の端部には、ヘリカルアンテナ等により構成されたアンテナ部２３が突設されている。
【００２１】
上筐体３には、携帯電話機１の動作状態や通信先情報、電子メール文章や画像等の取得情報など、各種情報を表示する表示部３１と、通話音声を出力する受話用のレシーバ部３２とが設けられている。なお、図示しないが、下筐体２や上筐体３には、着信音等を出力するスピーカ部、画像を撮影するカメラ部、外部機器と接続するためのコネクタ部などが設けられる場合もある。
【００２２】
次に、本実施形態の携帯電話機の要部構成について、模式的に示した図２を参照しながら説明する。
下筐体２は、内部に図示外の無線部や制御部の回路を搭載した回路基板２４が配設されており、ほぼ全面に設けられたグランドパターン２５を有している。
上筐体３は、内部に図示外の無線部や制御部の回路を搭載した回路基板３３が配設されており、ほぼ全面に設けられたグランドパターン３４を有している。また、上筐体３が、金属、又は、金属を含む材料で構成されている場合については、回路基板３３に設けられたグランドパターン３４と上筐体３の金属部若しくは上筐体３とが電気的に接続されている。
【００２３】
回路基板２４には、下筐体２に配設されたアンテナ部２３の共振周波数の整合を取るためのインピーダンスマッチング等を行う整合回路２４１が設けられており、整合回路２４１の接地端がグランドパターン２５に接続されている。また、整合回路２４１は、一端がアンテナ給電点２３１と接続され、他端が回路基板２４と接続されている。そして、アンテナ給電点２３１とアンテナ部２３のアンテナ素子（図示せず）とが接続されている。
【００２４】
また、下筐体２内部の回路基板２４と上筐体３内部の回路基板３３とが、ヒンジ部４を介して、ケーブル４０で導通接続されている。
【００２５】
このような構造により、下筐体２のグランドパターン２５を含む回路のグランドはヒンジ部４を介して、上筐体３のグランドパターン３４と電気的に接続されている。
【００２６】
次に、図３（Ａ）、（Ｂ）を参照しながら、本実施形態の携帯電話機における下筐体２内部の回路基板２４と上筐体３内部の回路基板３３とのケーブル（線材）４０による導通接続方法について、図８（Ａ）、（Ｂ）に示す比較例（従来構造のもの）のものと比較しながら説明する。
【００２７】
本発明の第１の実施形態に係る携帯電話機の電気的な構成を図３（Ａ）に示す。本実施形態では、下筐体２内部の回路基板２４の中央部と上筐体３内部の回路基板３３におけるアンテナ給電点２６の対角の位置（ここで、「対角」とはヒンジ部４中央部を中心とした幾何学的な点対称位置のことを言う。以下、これを「対角位置」とよぶ）とを、ヒンジ部１３の中央部を介して、ケーブル４０で導通接続する。
【００２８】
一方、図８（Ａ）には、これまで用いられている従来の携帯電話機での電気的構成を示す。この従来構造の携帯電話機では、下筐体１０１内部の回路基板１０４の中央部と上筐体１０２内部の回路基板１０５の中央部とを、ヒンジ部１０３の中央部を介して、ケーブル１０６で導通接続している。なお、図８（Ａ）において、符号１０７はアンテナ部、１０８はアンテナ給電点、１０９は整合回路を示す。
【００２９】
次に、折畳型携帯電話機のアンテナにおける電磁波放射時の電流分布について、本実施形態と比較例とを比較しながら説明する。なお、図３（Ｂ）は本実施形態のアンテナによる電磁波放射時の電流分布を示す。一方、図８（Ｂ）は図８（Ａ）に示す比較例（従来構造）での電流分布を示す。
これら図３（Ｂ）及び図８（Ｂ）では、それぞれ、本実施形態および比較例（従来構造）での電磁波放射時の携帯電話機の上下筐体における等電流線を示しており、電流が強い方から順にα、β、γとする。なお、これら比較実験の結果は、電磁界シミュレーションにより得られたものである。
【００３０】
図３（Ａ）に示す実施形態では、上筐体３内部の回路基板３３において、アンテナ給電点と対角位置でケーブル４０との接続をすることにより、同図（Ｂ）に示すように、この接続位置を中心に回路基板３３の下部を沿うように等電流線βの部分が存在し、結果的に基板全体へ電流が流れている。
一方、図８（Ａ）に示す比較例（従来構造）では、上筐体１０２内部の回路基板１０５において、ケーブル１０６との接続位置及びその近傍にのみ等電流線βの部分が存在している。つまり、アンテナ部１０７のアンテナとケーブル１０６付近に電流が集中している。このため、図８（Ｂ）に示す従来構造では、アンテナ部１０７やこのアンテナ部１０７周辺部に手や指等の人体の一部が接触すると、アンテナ特性が著しく劣化してしまう。
【００３１】
以上、説明してきたように、図３（Ｂ）に示す実施形態では、接続位置を中心に回路基板３３の下部を沿うように等電流線βの部分が存在しているので、アンテナ部２３のアンテナだけでなく、下筐体２内の回路基板２４と上筐体３内の回路基板３３からも電磁波を放射し、携帯電話機全体のアンテナ利得を増加させることが可能となる。その結果、放射エネルギーのアンテナ部への集中が軽減されることから、アンテナ部２３に人体が接触した場合の電磁波の放射遮断によるアンテナの放射特性の劣化量も低減することが可能となる、などの知見が得られる。
【００３２】
次に、図４を参照しながら、本実施形態のアンテナと比較例（従来構造）とにおけるアンテナ特性の相違点について説明する。
図４において、実線は図３（Ａ）に示す本実施形態に係る構成のもの、破線は図８（Ａ）に示す比較例（従来構造）のもののアンテナ特性である。なお、これらは、電磁界シミュレーションと比較例（サンプル）との測定結果により得られたものである。
【００３３】
図４に示すように、比較例（従来構造）の構成と比較して、本実施形態のアンテナ特性は、低い周波数帯域で良好な特性を有し、広帯域となることが分かる。これは、図３（Ｂ）に示したように、電流が回路基板全体に流れ、下筐体２および上筐体３の筐体全体がアンテナとして動作するためである。このため、人体がアンテナやアンテナ周辺部に接触時の整合ズレによるアンテナ特性の劣化量を低減することが可能となる。
【００３４】
このように、本実施形態の構成によれば、上筐体３内部において、アンテナ給電点と対角位置でケーブル４０を接続することにより、接続点を中心に回路基板３３のヒンジ側である両サイドの下部に強い電流を流すことが可能となり、アンテナエレメントだけでなく、上下筐体２、３内の回路基板にも電流が流れやすくなり、上下筐体２、３全体をアンテナとして動作させることが可能となる。これにより、放射エネルギーのアンテナ部２３への集中が軽減される。
【００３５】
また、上下筐体２、３内の回路基板全体に電流が流れることにより、アンテナ周波数特性の広帯域化が可能となる。このため、使用者が、アンテナ部２３やアンテナ部２３周辺部に、手や指や頭部などの体の一部を接触した場合のアンテナ利得の劣化を軽減でき、アンテナ特性への影響を低減することができる。
【００３６】
（第２の実施形態）
次に、本発明の第２の実施形態に係る携帯電話機について、図５を参照しながら説明する。なお、本実施形態において、第１の実施形態と一部分には同一符号を付して重複説明を避ける。
図５に示す第２の実施形態に係る携帯電話機は、上筐体３において、カメラやスピーカ等を回路基板のアンテナ給電点の対角に配置したものであり、回路基板３３の中央部でケーブル４０を接続した場合の構成例である。
【００３７】
同図に示すように、本実施形態では、回路基板のグランドを利用して、上筐体３内部の回路基板３３におけるグランドパターンの一部（領域）３４１を削除することで、（見かけ上の）回路基板２２のヒンジ部４寄りの端部側の中点位置（接続位置）を、実質上、アンテナ給電点２３１の対角とすることができる。
【００３８】
この構成により、回路基板３３において、削除したグランドパターン３４1に沿って等電流線β（図３（Ｂ）参照）の部分が存在し、図３（Ａ）に示す第１の実施形態の場合と同様に、回路基板２２全体に電流を流すことが可能となる。このため、アンテナ部２３のアンテナだけでなく、上下筐体２、３内の回路基板にも電流が流れ、上下筐体２、３全体がアンテナとして動作する。これにより、放射エネルギーのアンテナ部２３への集中が軽減される。
また、上下筐体２、３内の回路基板全体に電流が流れることにより、アンテナ周波数特性の広帯域化が可能となる。このため、使用者が、アンテナ部２３やアンテナ部２３周辺部に手や指や頭部を接触した場合のアンテナ利得の劣化を軽減でき、アンテナ特性への影響を低減することができる。
【００３９】
（第３の実施形態）
次に、本発明の第３の実施形態に係る携帯電話機について、図６を参照しながら説明する。なお、本実施形態において、第１の実施形態と一部分には同一符号を付して重複説明を避ける。
【００４０】
図６に示す第３、第４の実施形態に係る携帯電話機では、ヒンジ部４のアンテナ部２３を設置する一端側とは反対側の端部（図６では左端部）に、図示外のワンプッシュボタン等が配置されている。このため、上下各筐体２、３の内部の回路基板２４、３３を接続するケーブル４０は、ヒンジ４では左右いずれをも避けた中央部のみで通線が可能となっている。しかも、下筐体２内部の回路基板２４の中央部には、図示外のバイブレータ等が配置されている。
【００４１】
そこで、本発明では、前述のような条件の場合には、回路基板２４のアンテナ給電点２３１から離れた反対側の位置で回路基板２４とケーブル４０とを接続するように構成されており、これについて以下に説明する。
【００４２】
本実施形態では、図６に示すように、下筐体２内部の回路基板２４のヒンジ部寄りの上端部において、アンテナ給電点２３１のある右端部とは反対側の左端部の位置と、上筐体３内部の回路基板２３におけるアンテナ給電点２３１とは対角位置とを、ヒンジ部４の中央部を介して、ケーブル４０で導通接続するように構成している。
このように構成することにより、上筐体３内部の回路基板３３において、アンテナ給電点２３１とは対角位置でケーブル４０を接続させることになり、接続位置を中心に回路基板３３の下部を沿うように等電流線β（図３（Ｂ）参照）の部分が存在する。これにより、図３（Ａ）に示す第１の実施形態の構成の場合と同様に、回路基板３３全体に電流を流すことが可能となる。
【００４３】
その結果、アンテナだけでなく上、下筐体２、３内の回路基板２４、３３に電流が流れ、上下筐体２、３全体がアンテナとして動作するため、放射エネルギーのアンテナ部２３への集中が軽減される。また、上下筐体２、３内の回路基板２４、３３全体に電流が流れることにより、アンテナ周波数特性の広帯域化が可能となる。これにより、使用者が、アンテナ部２３やアンテナ部２３周辺部に、手や指や頭部などの体の一部を接触した場合のアンテナ利得の劣化を軽減でき、アンテナ特性への影響を低減することができる。
【００４４】
（第４の実施形態）
次に、本発明の第４の実施形態に係る携帯電話機について、図７を参照しながら説明する。なお、本実施形態でも、第１の実施形態と一部分には同一符号を付して重複説明を避ける。また、本実施形態でも、第３の実施形態と同様に、ヒンジ部４のアンテナ部２３を設置する一端側とは反対側の端部（同図では左端部）に、図示外のワンプッシュボタン等が配置されているものとする。
【００４５】
図７に示す本実施形態では、上筐体３の回路基板３３において、図示外のカメラやスピーカ等がアンテナ給電点２３１とは対角位置に配置してあり、このため、ケーブル４０は、回路基板３３の中央部でしか接続できないようになっている。
【００４６】
そこで、本実施形態では、下筐体２内部の回路基板２４において、上部右端部側に設けたアンテナ給電点２３１とは反対側の上部左端部側の位置と、上筐体３内部の回路基板３３におけるグランドパターン３４の一部（領域）３４２を削除し、回路基板３３の中央部を、ヒンジ部４の中央部を介して、ケーブル４０で導通接続するものである。
この構成により、回路基板３３において、削除したグランドパターン３４２に沿って等電流線β（図３（Ｂ）参照）の部分が存在し、図６と同様に、回路基板３３全体に電流を流すことが可能となる。
【００４７】
その結果、アンテナだけでなく、上下筐体２、３内の回路基板２４、３３に電流が流れ、上下筐体２、３全体がアンテナとして動作するため、放射エネルギーのアンテナ部への集中が軽減される。また、上下筐体２、３内の回路基板２４、３３全体に電流が流れることにより、アンテナ周波数特性の広帯域化が可能となる。このため、使用者が、アンテナ部２３やアンテナ部２３周辺部に、手や指や頭部などの体の一部を接触した場合のアンテナ利得の劣化を軽減でき、アンテナ特性への影響を低減することができる。
【００４８】
なお、本発明は上述した実施形態に何ら限定されるものではなく、その要旨を逸脱しない範囲において種々の形態で実施し得るものである。
【産業上の利用可能性】
【００４９】
本発明の折畳型携帯無線装置は、携帯無線装置の使用時において、筐体を折畳んだ状態で動作するもう一つのアンテナを設けることなく、使用者の手や指や頭部がアンテナ部やアンテナ周辺部に接触した場合のアンテナ特性への影響を低減することができる効果を有し、折畳型の携帯電話機等に有用である。
【図面の簡単な説明】
【００５０】
【図１】本発明の第１の実施形態に係る折畳型携帯電話機の外観構成を示す斜視図
【図２】第１の実施形態に係る折畳型携帯電話機の要部構成を模式的に示した略線図
【図３】（Ａ）は第１の実施形態に係る折畳型携帯電話機における上下筐体内部の回路基板間の接続態様を示す説明図、（Ｂ）は同折畳型携帯電話機における電磁波放射時の電流分布図
【図４】本実施形態のアンテナによるアンテナ特性を示す特性図
【図５】本発明の第２の実施形態に係る折畳型携帯電話機における上下筐体内部の回路基板間の接続態様を示す説明図
【図６】本発明の第３の実施形態に係る折畳型携帯電話機における上下筐体内部の回路基板間の接続態様を示す説明図
【図７】本発明の第４の実施形態に係る折畳型携帯電話機における上下筐体内部の回路基板間の接続態様を示す説明図
【図８】（Ａ）は比較例（従来構造）の折畳型携帯電話機における上下筐体内部の回路基板間の接続態様を示す説明図、（Ｂ）は同折畳型携帯電話機における電磁波放射時の電流分布図
【符号の説明】
【００５１】
１  携帯電話機（携帯無線装置）
２  下筐体（第２筐体）
３  上筐体（第１筐体）
４  ヒンジ部
２１  操作部
２２  マイク部
３１  表示部
３２  レシーバ部
１８  アンテナ
２４、３３  回路基板
２５、３４  グランドパターン
２４１  整合回路
２３１  アンテナ給電点
４０  ケーブル（線材）
３４１、３４２  削除するグランドパターン領域
α、β、γ  等電流線
【図１】
2005124033.tif 000003
【図２】
2005124033.tif 000004
【図３】
2005124033.tif 000005
【図４】
2005124033.tif 000006
【図５】
2005124033.tif 000007
【図６】
2005124033.tif 000008
【図７】
2005124033.tif 000009
【図８】
2005124033.tif 000010